(57)【特許請求の範囲】
【請求項１】
印刷物の紙面のレイアウトの決定処理を実行する組版端末と、該印刷物の紙面に割り付ける画像の決定処理を実行する画像端末とを備える組版システムで用いられる組版端末であって、
画像領域に関するレイアウト情報を設定する設定手段と、
上記設定手段の設定した画像領域に関するレイアウト情報を、画像端末と組版端末との間の連携のために用意されて、画像端末と組版端末とが相手方の端末に関係なく利用できる組版ファイルに格納する格納手段と、
画像端末の設定した画像領域に関するレイアウト情報を上記組版ファイルから取得する取得手段と、
文字配置情報と、上記取得手段の取得したレイアウト情報又は上記設定手段の設定したレイアウト情報の内の先に取得設定したレイアウト情報の規定する画像領域とに従って、該画像領域に対応付けられる文字領域を特定する特定手段と、
上記特定手段の特定した文字領域の大きさを示す領域枠をディスプレイ画面に明示する明示手段と、
印刷物の紙面に割り付ける文章を入手する入手手段と、
上記明示手段の明示する領域枠内を文字割り付け不可領域としつつ、上記入手手段の入手した文章の配置位置を決定する決定手段とを備えることを、
特徴とする組版システムで用いられる組版端末。
【請求項２】
印刷物の紙面のレイアウトの決定処理を実行する組版端末と、該印刷物の紙面に割り付ける画像の決定処理を実行する画像端末とを備える組版システムで用いられる画像端末であって、
画像領域に関するレイアウト情報を設定する設定手段と、
上記設定手段の設定した画像領域に関するレイアウト情報を、画像端末と組版端末との間の連携のために用意されて、画像端末と組版端末とが相手方の端末に関係なく利用できる組版ファイルに格納する格納手段と、
組版端末の設定した画像領域に関するレイアウト情報を上記組版ファイルから取得する取得手段と、
上記取得手段の取得したレイアウト情報又は上記設定手段の設定したレイアウト情報の内の先に取得設定したレイアウト情報の規定する画像領域の大きさを示す絵柄窓をディスプレイ画面に明示する明示手段と、
印刷物の紙面に割り付ける画像を入手する入手手段と、
上記明示手段の明示する絵柄窓内に、上記入手手段の入手した画像部分を表示しつつ、該絵柄窓の指す画像領域に割り付ける画像を決定する決定手段とを備えることを、
特徴とする組版システムで用いられる画像端末。
【請求項３】
印刷物の紙面のレイアウトの決定処理を実行する組版端末と、該印刷物の紙面に割り付ける画像の決定処理を実行する画像端末とを備える組版システムで用いられる組版端末の実現に用いられるプログラムが記録されるプログラム記録媒体であって、
画像領域に関するレイアウト情報を設定する設定処理と、
上記設定処理の設定した画像領域に関するレイアウト情報を、画像端末と組版端末との間の連携のために用意されて、画像端末と組版端末とが相手方の端末に関係なく利用できる組版ファイルに格納する格納処理と、
画像端末の設定した画像領域に関するレイアウト情報を上記組版ファイルから取得する取得処理と、
文字配置情報と、上記取得処理の取得したレイアウト情報又は上記設定処理の設定したレイアウト情報の内の先に取得設定したレイアウト情報の規定する画像領域とに従って、該画像領域に対応付けられる文字領域を特定する特定処理と、
上記特定処理の特定した文字領域の大きさを示す領域枠をディスプレイ画面に明示する明示処理と、
印刷物の紙面に割り付ける文章を入手する入手処理と、
上記明示処理の明示する領域枠内を文字割り付け不可領域としつつ、上記入手処理の入手した文章の配置位置を決定する決定処理とをコンピュータに実行させるプログラムが記録されることを、
特徴とするプログラム記録媒体。
【請求項４】
印刷物の紙面のレイアウトの決定処理を実行する組版端末と、該印刷物の紙面に割り付ける画像の決定処理を実行する画像端末とを備える組版システムで用いられる画像端末の実現に用いられるプログラムが記録されるプログラム記録媒体であって、
画像領域に関するレイアウト情報を設定する設定処理と、
上記設定処理の設定した画像領域に関するレイアウト情報を、画像端末と組版端末との間の連携のために用意されて、画像端末と組版端末とが相手方の端末に関係なく利用できる組版ファイルに格納する格納処理と、
組版端末の設定した画像領域に関するレイアウト情報を上記組版ファイルから取得する取得処理と、
上記取得処理の取得したレイアウト情報又は上記設定処理の設定したレイアウト情報の内の先に取得設定したレイアウト情報の規定する画像領域の大きさを示す絵柄窓をディスプレイ画面に明示する明示処理と、
印刷物の紙面に割り付ける画像を入手する入手処理と、
上記明示処理の明示する絵柄窓内に、上記入手処理の入手した画像部分を表示しつつ、該絵柄窓の指す画像領域に割り付ける画像を決定する決定処理とをコンピュータに実行させるプログラムが記録されることを、
特徴とするプログラム記録媒体。
【発明の詳細な説明】
【０００１】
【発明の属する技術分野】
本発明は、新聞紙面などの組版システムで用いられる組版端末及び画像端末と、それらの実現に用いられるプログラムが記録されるプログラム記録媒体とに関し、特に、組版処理の作業の効率化を実現できるようにする組版システムで用いられる組版端末及び画像端末と、それらの実現に用いられるプログラムが記録されるプログラム記録媒体とに関する。
【０００２】
新聞紙面では、文章と画像とが混在して配置される。特に、スポーツ紙面などでは、人間の形などに切り出された複雑な形状を持つ画像が任意の紙面位置に配置されることが多い。
【０００３】
一方、新聞紙面の組版システムでは、新聞紙面のレイアウトを決定する部門と、新聞紙面に掲載する画像の決定を行う部門とが異なることに対応して、新聞紙面のレイアウトの決定処理を実行する組版端末と、新聞紙面に割り付ける画像の決定処理を実行する画像端末という２種類の端末を備える構成を採っている。
【０００４】
このようなことを背景にしつつ、組版処理の作業の効率化を実現できるようにする組版システムの構築が叫ばれている。
【０００５】
【従来の技術】
新聞紙面の組版処理は、先ず最初に、整理記者が紙面レイアウト用紙（カキワリと呼ばれている）に手書きで紙面のレイアウトを書くことで、紙面のレイアウトを決定する。
【０００６】
続いて、この手書きの紙面レイアウトを受けて、組版システムを構成する組版端末は、組版端末を操作するオペレータと対話することで、整理記者の決定した紙面レイアウトで指定される画像領域の電子的な配置位置を決定してから、その画像領域を文字割り付け不可領域としつつ、指定の記事を割り付けるように処理している。
【０００７】
そして、組版システムを構成する画像端末は、画像端末を操作するオペレータと対話することで、整理記者の決定した紙面レイアウトで指定される画像領域の電子的な配置位置を決定してから、その画像領域に指定の画像を割り付けるように処理している。
【０００８】
この処理構成を採るときにあって、従来の組版システムでは、組版端末は、画像端末と連携することなく自処理を行うとともに、画像端末は、組版端末と連携することなく自処理を行うという構成を採っていた。
【０００９】
【発明が解決しようとする課題】
しかしながら、従来の組版システムのように、組版端末と画像端末とが互いに連携することなく自処理を行うという構成を採っていると、２つの端末が、それぞれ整理記者の決定した画像領域の電子的な配置位置を決定しなければならず、作業効率が悪いという問題点があった。
【００１０】
そして、組版端末の決定する画像領域の電子的な配置位置と、画像端末の決定する画像領域の電子的な配置位置とが正確に一致しないことで、綺麗な紙面を印刷できないことが起こるという問題点があった。
【００１１】
本発明はかかる事情に鑑みてなされたものであって、組版処理の作業の効率化を実現できるようにする新たな組版システムで用いられる組版端末及び画像端末の提供と、それらの実現に用いられるプログラムが記録される新たなプログラム記録媒体の提供とを目的とする。
【００１２】
【課題を解決するための手段】
この目的を達成するために、本発明の組版システムで用いられる組版端末は、印刷物の紙面のレイアウトの決定処理を実行する組版端末と、該印刷物の紙面に割り付ける画像の決定処理を実行する画像端末とを備える組版システムで用いられるときに、（１）画像領域に関するレイアウト情報を設定する設定手段と、（２）設定手段の設定した画像領域に関するレイアウト情報を、画像端末と組版端末との間の連携のために用意されて、画像端末と組版端末とが相手方の端末に関係なく利用できる組版ファイルに格納する格納手段と、（３）画像端末の設定した画像領域に関するレイアウト情報を組版ファイルから取得する取得手段と、（４）文字配置情報と、取得手段の取得したレイアウト情報又は設定手段の設定したレイアウト情報の内の先に取得設定したレイアウト情報の規定する画像領域とに従って、該画像領域に対応付けられる文字領域を特定する特定手段と、（５）特定手段の特定した文字領域の大きさを示す領域枠をディスプレイ画面に明示する明示手段と、（６）印刷物の紙面に割り付ける文章を入手する入手手段と、（７）明示手段の明示する領域枠内を文字割り付け不可領域としつつ、入手手段の入手した文章の配置位置を決定する決定手段とを備えるように構成する。
また、この目的を達成するために、本発明の組版システムで用いられる画像端末は、印刷物の紙面のレイアウトの決定処理を実行する組版端末と、該印刷物の紙面に割り付ける画像の決定処理を実行する画像端末とを備える組版システムで用いられるときに、（１）画像領域に関するレイアウト情報を設定する設定手段と、（２）設定手段の設定した画像領域に関するレイアウト情報を、画像端末と組版端末との間の連携のために用意されて、画像端末と組版端末とが相手方の端末に関係なく利用できる組版ファイルに格納する格納手段と、（３）組版端末の設定した画像領域に関するレイアウト情報を組版ファイルから取得する取得手段と、（４）取得手段の取得したレイアウト情報又は設定手段の設定したレイアウト情報の内の先に取得設定したレイアウト情報の規定する画像領域の大きさを示す絵柄窓をディスプレイ画面に明示する明示手段と、（５）印刷物の紙面に割り付ける画像を入手する入手手段と、（６）明示手段の明示する絵柄窓内に、入手手段の入手した画像部分を表示しつつ、該絵柄窓の指す画像領域に割り付ける画像を決定する決定手段とを備えるように構成する。
次に、図１及び図２に従って、本発明を具備する組版システムの原理構成について説明する。
図中、１は印刷物の紙面のレイアウトの決定処理を実行する組版端末、２は印刷物の紙面に割り付ける画像の決定処理を実行する画像端末、３は組版端末１と画像端末２との間に設けられるファイルシステムである。
このファイルシステム３には、組版端末１の設定した画像領域に関するレイアウト情報や画像端末２の設定した画像領域に関するレイアウト情報を格納する組版ファイル（組版端末１と画像端末２とが相手方の端末に関係なく利用できるものとして用意されるファイル）が含まれる。
【００１３】
図１に原理構成を図示する組版システムは、画像端末２が主導側となって印刷物紙面の画像領域に関するレイアウト情報を設定するものであって、これを受けて、本発明の組版端末１は、取得手段１０と、特定手段１１と、明示手段１２と、入手手段１３と、決定手段１４とを備える。
【００１４】
この取得手段１０は、ファイルシステム３に含まれる組版ファイルから、画像端末２の設定する画像領域に関するレイアウト情報を取得する。特定手段１１は、文字配置情報と取得手段１０の取得するレイアウト情報の規定する画像領域とに従って、その画像領域に対応付けられる文字領域を特定する。明示手段１２は、特定手段１１の特定する文字領域の大きさを示す領域枠をディスプレイ画面に明示する。入手手段１３は、印刷物の紙面に割り付ける文章を入手する。決定手段１４は、明示手段１２の明示する領域枠内を文字割り付け不可領域としつつ、入手手段１３の入手する文章の配置位置を決定する。
【００１５】
ここで、この組版端末１の持つ機能は具体的にはプログラムで実現されるものであり、このプログラムは、フロッピィディスクなどに格納されたり、サーバなどのディスクなどに格納され、それらから組版端末１にインストールされてメモリ上で動作することで、本発明を実現することになる。
【００１６】
このように構成される図１に原理構成を図示する組版システムでは、画像端末２がディスプレイ画面上で印刷物紙面の画像領域に関するレイアウト情報を設定することで、ファイルシステム３に含まれる組版ファイルに、その画像領域に関するレイアウト情報が格納されると、組版端末１の取得手段１０は、ファイルシステム３に含まれる組版ファイルから、その画像端末２の設定した画像領域に関するレイアウト情報を取得する。
【００１７】
この画像領域の取得処理を受けて、特定手段１１は、文字配置情報と取得されたレイアウト情報の規定する画像領域とに従って、その取得された画像領域に対応付けられる文字領域を特定し、この特定結果を受けて、明示手段１２は、特定された文字領域の大きさを示す領域枠をディスプレイ画面に明示する。
【００１８】
これを受けて、決定手段１４は、入手手段１３により入手される文章を処理対象として、明示手段１２により表示される領域枠内を文字割り付け不可領域としつつ、その文章の配置位置を決定する。
【００１９】
このようにして、画像端末２が主導側になって印刷物紙面の画像領域に関するレイアウト情報を設定すると、ファイルシステム３に含まれる組版ファイルを介して、その設定された画像領域に関するレイアウト情報が組版端末１に通知されて、それに従って、印刷物紙面に割り付ける文章の配置位置が決定されることになる。
【００２０】
一方、図２に原理構成を図示する組版システムは、組版端末１が主導側となって印刷物紙面の画像領域に関するレイアウト情報を設定するものであって、これを受けて、本発明の画像端末２は、取得手段２０と、明示手段２１と、入手手段２２と、決定手段２３とを備える。
【００２１】
この取得手段２０は、ファイルシステム３に含まれる組版ファイルから、組版端末１の設定する画像領域に関するレイアウト情報を取得する。明示手段２１は、取得手段２０の取得するレイアウト情報の規定する画像領域の大きさを示す絵柄窓をディスプレイ画面に明示する。入手手段２２は、印刷物の紙面に割り付ける画像を入手する。決定手段２３は、明示手段２１の明示する絵柄窓内に、入手手段２３の入手する画像部分を表示しつつ、絵柄窓の指す画像領域に割り付ける画像を決定する。
【００２２】
ここで、この画像端末２の持つ機能は具体的にはプログラムで実現されるものであり、このプログラムは、フロッピィディスクなどに格納されたり、サーバなどのディスクなどに格納され、それらから画像端末２にインストールされてメモリ上で動作することで、本発明を実現することになる。
【００２３】
このように構成される図２に原理構成を図示する組版システムでは、組版端末１がディスプレイ画面上で印刷物紙面の画像領域に関するレイアウト情報を設定することで、ファイルシステム３に含まれる組版ファイルに、その画像領域に関するレイアウト情報が格納されると、画像端末２の取得手段２０は、その組版端末１の設定した画像領域に関するレイアウト情報を取得する。
【００２４】
この画像領域に関するレイアウト情報の取得処理を受けて、明示手段２１は、取得されたレイアウト情報の規定する画像領域の大きさを示す絵柄窓をディスプレイ画面に明示する。
これを受けて、決定手段２３は、入手手段２２により入手される画像を処理対象として、明示手段２１により表示される絵柄窓内に、その入手された画像部分を表示しつつ、絵柄窓の指す画像領域に割り付ける画像を決定する。
【００２５】
このようにして、組版端末１が主導側になって印刷物紙面の画像領域に関するレイアウト情報を設定すると、ファイルシステム３に含まれる組版ファイルを介して、その設定された画像領域に関するレイアウト情報が画像端末２に通知されて、それに従って、印刷物紙面に割り付ける画像の配置位置が決定されることになる。
【００２６】
このように、本発明を具備する組版システムでは、組版端末１と画像端末２とが互いに連携しつつ処理を行う構成を採って、いずれか一方の端末で決定した画像領域の電子的な配置位置を他方の端末に反映させる構成を採るので、効率的な組版処理を実現できるようになるとともに、正確な組版処理を実現できるようになる。
【００２７】
【発明の実施の形態】
以下、実施の形態に従って本発明を詳細に説明する。
図３に、本発明を具備する新聞紙面の組版システムの一実施例を図示する。
【００２８】
図中、１ａは組版ワークステーションであって、新聞紙面のレイアウトの決定処理を実行するもの、２ａは画像ワークステーションであって、新聞紙面に割り付ける画像の決定処理を実行するもの、３０はホストコンピュータであって、組版ワークステーション１ａにより決定される新聞紙面のレイアウト情報を格納する組版ファイル３１と、画像ワークステーション２ａにより割り付けられる新聞紙面の画像情報を格納するイメージファイル３２とを備えて、新聞紙面の組版処理の全体を制御するもの、４０は画像集配サーバであって、新聞紙面に割り付ける画像を集配するもの、５０は画像サーバであって、画像集配サーバ４０と画像ワークステーション２ａとの間のインタフェース処理を実行するもの、６０は記事集配サーバであって、新聞紙面に割り付ける記事を入手して組版ワークステーション１ａに配るものである。
【００２９】
この組版ワークステーション１ａには、フロッピィディスクや回線などを介してインストールされる記事割付プログラム１００が展開されるとともに、画像ワークステーション２ａには、フロッピィディスクや回線などを介してインストールされる画像割付プログラム２００が展開される。
【００３０】
本発明を具備する新聞紙面の組版システムでは、整理記者の作成した紙面レイアウト用紙（カキワリ）の指示に従って、組版ワークステーション１ａがオペレータと対話することで新聞紙面上の画像領域を設定する場合と、画像ワークステーション２ａがオペレータと対話することで新聞紙面上の画像領域を設定する場合とがある。
【００３１】
先ず最初に、組版ワークステーション１ａがオペレータと対話することで新聞紙面上の画像領域を設定する場合の実施例について説明する。
図４に、この実施例を実現するために記事割付プログラム１００が実行する処理フローの一実施例、図５に、この実施例を実現するために画像割付プログラム２００が実行する処理フローの一実施例を図示する。
【００３２】
組版ワークステーション１ａに展開される記事割付プログラム１００は、オペレータから面ＩＤを指定して新聞紙面のレイアウト指示が発行されると、図４の処理フローに示すように、先ず最初に、ステップ１で、その面ＩＤの指す新聞紙面の紙面構造情報を設定する。
【００３３】
新聞紙面は、図６に示すように、紙面の大きさ、文字サイズ、行サイズ、行数、行間サイズ、段サイズ、段数、段間サイズ、上下左右の空白サイズなどで定義される紙面構造を持つので、このステップ１では、この紙面構造情報を設定するのである。
【００３４】
続いて、ステップ２で、設定した紙面構造情報が分かる形で、新聞紙面をディスプレイ画面に表示する。例えば、破線や短い線分を使って紙面構造情報を表現することで、設定した紙面構造情報が分かる形で、新聞紙面をディスプレイ画面に表示するのである。
【００３５】
続いて、ステップ３で、ステップ２で表示するディスプレイ画面に対してオペレータが入力するマウス軌跡を入力することで、画像領域を指定するマウス軌跡を入力する。例えば、図７（ａ）の楕円で示すような画像領域を指定するマウス軌跡を入力するのである。ここで、図中に示す破線は、紙面構造情報を表現すべく表示するものである。
【００３６】
続いて、ステップ４で、入力したマウス軌跡と、設定した紙面構造情報で定義される文字配置位置との規定する画像領域を求めて、それが画像領域であることを明示しつつディスプレイ画面に表示する。
【００３７】
すなわち、図７（ｂ）に示すように、マウス軌跡内に含まれないとともに、マウス軌跡に横切られず、かつ、マウス軌跡に隣接する文字配置位置で規定される画像領域を求めて、その画像領域の中を特定の色で表示したり、その画像領域の中に禁止マークを表示することなどにより、それが画像領域であることを明示しつつディスプレイ画面に表示するのである。
【００３８】
続いて、ステップ５で、面ＩＤととともに、設定した画像領域を持つ新聞紙面のレイアウト情報を組版ファイル３１に格納して、処理を終了する。
この後、記事割付プログラム１００は、この処理とは独立に、あるいは、この処理に続けて、設定した画像領域を文字割り付け不可領域としつつ、記事集配サーバ６０から配られる記事を新聞紙面に割り付けていく処理を行う。
【００３９】
一方、画像ワークステーション２ａに展開される画像割付プログラム２００は、オペレータから面ＩＤを指定して新聞紙面に対する画像の割付要求が発行されると、図５の処理フローに示すように、先ず最初に、ステップ１で、組版ファイル３１から、その面ＩＤの指す新聞紙面のレイアウト情報を取得する。すなわち、記事割付プログラム１００の設定した新聞紙面のレイアウト情報（画像領域が設定されている）を取得するのである。
【００４０】
続いて、ステップ２で、その取得した新聞紙面のレイアウト情報をディスプレイ画面に表示することで、図８に示すように、記事割付プログラム１００の設定した画像領域の大きさを示す絵柄窓をディスプレイ画面に表示する。なお、このとき、絵柄窓内が画像領域となることを明示しつつ、絵柄窓をディスプレイ画面に表示するようにしてもよい。また、紙面構造情報についても、それが分かる形でディスプレイ画面に表示するようにしてもよい。
【００４１】
続いて、ステップ３で、画像集配サーバ４０から、絵柄窓に割り付ける画像を入手する。続いて、ステップ４で、その入手した画像を加工（色を変えるなどする）しつつ、どの画像部分を配置するのかを決定することで絵柄窓に画像を割り付ける。続いて、ステップ５で、その画像の割り付けた新聞紙面をイメージファイル３２に格納して、処理を終了する。
【００４２】
このようにしてイメージファイル３２に格納された画像の割り付けられた新聞紙面は、記事割付プログラム１００により記事の割り付けられた新聞紙面と合成され、これにより最終的な新聞紙面が生成されることになる。
【００４３】
次に、画像ワークステーション２ａがオペレータと対話することで新聞紙面上の画像領域を設定する場合の実施例について詳細に説明する。
図９に、この実施例を実現するために画像割付プログラム２００が実行する処理フローの一実施例、図１０に、この実施例を実現するために記事割付プログラム１００が実行する処理フローの一実施例を図示する。
【００４４】
画像ワークステーション２ａに展開される画像割付プログラム２００は、オペレータから面ＩＤを指定して新聞紙面に対しての画像の割付指示が発行されると、図９の処理フローに示すように、先ず最初に、ステップ１で、組版ファイル３１から、その面ＩＤの指す新聞紙面の紙面構造情報を取得する。ここで、この紙面構造情報は、図４の処理フローで説明したように、組版ワークステーション１ａに展開される記事割付プログラム１００が設定することになる。
【００４５】
続いて、ステップ２で、取得した紙面構造情報が分かる形で、新聞紙面をディスプレイ画面に表示する。例えば、図１１（ａ）に示すように、破線を使って紙面構造情報を表現することで、設定した紙面構造情報が分かる形で、新聞紙面をディスプレイ画面に表示するのである。
【００４６】
続いて、ステップ３で、ステップ２で表示するディスプレイ画面に対してオペレータが入力するマウス軌跡を入力することで、画像領域を指定するマウス軌跡を入力する。例えば、図１１（ｂ）の楕円で示すような画像領域を指定するマウス軌跡を入力するのである。なお、このとき、画像領域内の領域が画像領域となることを明示しつつ、画像領域をディスプレイ画面に表示するようにしてもよい。
【００４７】
続いて、ステップ４で、面ＩＤととともに、設定した画像領域を持つ新聞紙面のレイアウト情報を組版ファイル３１に格納する。後述する図１０の処理フローで説明するように、このようにして作成されたレイアウト情報を使って、組版ワークステーション１ａに展開される記事割付プログラム１００が記事のレイアウト処理を実行することになる。
【００４８】
続いて、ステップ５で、画像集配サーバ４０から、設定した画像領域に割り付ける画像を入手する。続いて、ステップ６で、その入手した画像を加工（色を変えるなどする）しつつ、どの画像部分を配置するのかを決定することで設定した画像領域に画像を割り付ける。続いて、ステップ７で、その画像の割り付けた新聞紙面をイメージファイル３２に格納して、処理を終了する。
【００４９】
一方、組版ワークステーション１ａに展開される記事割付プログラム１００は、オペレータから面ＩＤを指定して新聞紙面に対する記事の割付要求が発行されると、図１０の処理フローに示すように、先ず最初に、ステップ１で、組版ファイル３１から、その面ＩＤの指す新聞紙面の紙面構造情報／レイアウト情報を取得する。ここで、このとき取得するレイアウト情報で指定される画像領域は、上述したように、画像ワークステーション２ａに展開される画像割付プログラム２００が設定したものである。
【００５０】
続いて、ステップ２で、取得したレイアウト情報で指定される画像領域の輪郭線と、取得した紙面構造情報で定義される文字配置位置との規定する、文字位置で表現される画像領域を求める。すなわち、輪郭線内に含まれないとともに輪郭線に横切られず、かつ、輪郭線に隣接する文字配置位置で規定される画像領域を求めるのである。
【００５１】
続いて、ステップ３で、取得した紙面構造情報が分かる形で、新聞紙面をディスプレイ画面に表示するとともに、ステップ２で求めた文字位置で表現される画像領域を、それが画像領域であることを明示しつつディスプレイ画面に表示する。
【００５２】
例えば、図１２に示すように、破線を使って紙面構造情報を表現することで、取得した紙面構造情報が分かる形で、新聞紙面をディスプレイ画面に表示するとともに、その画像領域の中を特定の色で表示したり、その画像領域の中に禁止マークを表示することなどにより、それが画像領域であることを明示しつつディスプレイ画面に表示するのである。
【００５３】
続いて、ステップ４で、記事集配サーバ６０から、新聞紙面に割り付ける記事を入手する。続いて、ステップ５で、ステップ２で求めた文字位置で表現される画像領域を文字割り付け不可領域としつつ、その入手した記事を新聞紙面に割り付けて、処理を終了する。
【００５４】
このようにして記事の割り付けられた新聞紙面は、画像割付プログラム２００により画像の割り付けられた新聞紙面と合成され、これにより最終的な新聞紙面が生成されることになる。
【００５５】
このようにして、本発明を具備する組版システムでは、組版ワークステーション１ａが主導側となって新聞紙面の画像領域を設定すると、その設定された画像領域が画像ワークステーション２ａに通知されて、それに従って、新聞紙面に割り付ける画像の配置位置が決定されることになる。
【００５６】
そして、画像ワークステーション２ａが主導側になって新聞紙面の画像領域を設定すると、その設定された画像領域が組版ワークステーション１ａに通知されて、それに従って、新聞紙面に割り付ける記事の配置位置が決定されることになる。
【００５７】
図示実施例に従って本発明を説明したが、本発明はこれに限定されるものてはない。例えば、実施例では、新聞の組版システムの適用例に従って本発明を説明したが、本発明はその適用が新聞の組版システムに限られるものではない。
【００５８】
【発明の効果】
以上説明したように、本発明の組版システムでは、印刷物の紙面のレイアウトの決定処理を実行する組版端末と、印刷物の紙面に割り付ける画像の決定処理を実行する画像端末とを備える構成を採るときにあって、組版端末と画像端末とが互いに連携しつつ処理を行う構成を採って、いずれか一方の端末で決定した画像領域の電子的な配置位置を他方の端末に反映させる構成を採るので、効率的な組版処理を実現できるようになるとともに、正確な組版処理を実現できるようになる。
【図面の簡単な説明】
【図１】本発明の原理構成図である。
【図２】本発明の原理構成図である。
【図３】本発明の一実施例である。
【図４】記事割付プログラムの実行する処理フローである。
【図５】画像割付プログラムの実行する処理フローである。
【図６】紙面構造の説明図である。
【図７】実施例の処理説明図である。
【図８】実施例の処理説明図である。
【図９】画像割付プログラムの実行する処理フローである。
【図１０】記事割付プログラムの実行する処理フローである。
【図１１】実施例の処理説明図である。
【図１２】実施例の処理説明図である。
【符号の説明】
１    組版端末
２    画像端末
３    ファイルシステム
１０  取得手段
１１  特定手段
１２  明示手段
１３  入手手段
１４  決定手段
２０  取得手段
２１  明示手段
２２  入手手段
２３  決定手段
【図１】
0003912634.tif 000002
【図２】
0003912634.tif 000003
【図３】
0003912634.tif 000004
【図４】
0003912634.tif 000005
【図５】
0003912634.tif 000006
【図６】
0003912634.tif 000007
【図７】
0003912634.tif 000008
【図８】
0003912634.tif 000009
【図９】
0003912634.tif 000010
【図１０】
0003912634.tif 000011
【図１１】
0003912634.tif 000012
【図１２】
0003912634.tif 000013